(57)【要約】【課題】  カーオーディオ機器のディスク挿入口をシャッター部材で開閉可能にし、ディスク挿入口の開放状態から、さらにシャッター部材を所定移動量クリックすることによりディスクのエジェクト動作を可能にした再生装置を得る。【解決手段】  フロントパネル１にディスク挿入口２と、このディスク挿入口２の下部に液晶表示部３を備えた再生装置であって、フロントパネル１の前面部に、ディスク挿入口２を開閉するシャッター板６を備え、ディスク挿入口２が開放された状態をトリガ位置とし、シャッター板６をさらに開放方向に移動させる動作に連動してディスク挿入口２からディスクのエジェクト動作が行われることを特徴とする。【選択図】  図１
2005166144.tif 000002
【特許請求の範囲】
【請求項１】
フロントパネル部に情報再生媒体の挿入口と、この挿入口の上部あるいは下部に表示部を備えた再生装置であって、
上記フロントパネル部の前面部に、上記情報再生媒体の挿入口を開閉するシャッター部材を備え、上記情報再生媒体の挿入口が開放された状態をトリガ位置とし、上記シャッター部材をさらに開放方向に移動させる動作に連動して上記挿入口から情報再生媒体が排出される動作が行われることを特徴とする再生装置。
【請求項２】
請求項１記載の再生装置において、
上記情報再生媒体の排出動作後、上記シャッター部材が上記トリガ位置に復帰するようにしたことを特徴とする再生装置。
【請求項３】
請求項１記載の再生装置において、
上記情報再生媒体の挿入口を開放したとき、上記シャッター部材で上記表示部が隠蔽されることを特徴とする再生装置。
【請求項４】
請求項３記載の再生装置において、
上記シャッター部材が上記表示部を隠蔽した動作に連動して該表示部を消灯するようにしたことを特徴とする再生装置。
【請求項５】
請求項１記載の再生装置において、
上記情報再生媒体がディスクであることを特徴とする再生装置。
【請求項６】
請求項１〜５のいずれかに記載の再生装置において、
再生装置がカーオーディオテ機器であることを特徴とする再生装置。
【発明の詳細な説明】
【技術分野】
【０００１】
本発明は、例えば自動車に搭載される車載用のカーオーディオ機器等の再生装置に関し、特にオーディオ機器等にあって情報再生媒体である例えば、ＣＤやＤＶＤ等の（光）ディスク、ＭＤ（ミニ・ディスク）を再生するための再生装置において、ディスク挿入口を開閉可能にするシャッターが開放された位置から、さらに開放させる一連の動作によりディスクをエジェクトできるようにした再生装置を得ることにある。
【背景技術】
【０００２】
従来、上述したような車載用のカーオーディオ機器等の再生装置としては、種々のタイプのものが提案されている。例えば、ＣＤやＤＶＤ等のディスク再生装置の一例としてカーオーディオのパネル面が通常、液晶表示パネルで覆われており、ディスクの装填や取り出し時、エジェクトボタンを操作することで、液晶表示パネルが回動する動作に連動してディスク再生装置からディスクトレーが引き出される方式のものがある。
【０００３】
また、別のディスク再生装置として、ディスク挿入口と、このディスク挿入口に隣接する下方に液晶表示部とが一体に据え付け式にされたカーオーディオ機器もある。
【特許文献１】特開平０３−１００９６１号公報
【特許文献２】特開２００２−３１３０７３号公報
【発明の開示】
【発明が解決しようとする課題】
【０００４】
ところで、ディスク挿入口と液晶表示部とが一体に据え付け式にされたカーオーディオ機器では、ディスク挿入口の部分が常に開口された状態で露出しているので、ディスク挿入口から異物が挿入され易いことや塵埃等も侵入し易く、再生機構部にとっても好ましくないといった問題がある。また、ディスク挿入口が常に開口された状態は、カーオーディオ機器の体裁上も好ましものではなかった。
【０００５】
上述したようなカーオーディオ機器では、一般にディスク挿入口へディスクが挿入されると、ディスクがスロットインされ再生動作状態となり、また、ディスク挿入口からディスクのエジェクト動作は、エジェクトボタン等の操作により行われる。
【０００６】
また、ディスク挿入口がシャッターで開閉可能にされるようにした場合では、ディスクを取り出すためにディスク挿入口からシャッターを開放し、ディスク挿入口を漏出するための動作と、エジェクトボタン等を操作してディスク挿入口からディスクをエジェクトする動作との２つの動作が必要であった。
【課題を解決するための手段】
【０００７】
上記の課題を解決し、本発明の目的を達成するため、本発明による請求項１記載の再生装置は、フロントパネル部に情報再生媒体の挿入口と、この挿入口の上部あるいは下部に表示部を備えた再生装置であって、フロントパネル部の前面部に、情報再生媒体の挿入口を開閉するシャッター部材を備え、情報再生媒体の挿入口が開放された状態をトリガ位置とし、シャッター部材をさらに開放方向に移動させる動作に連動して挿入口から情報再生媒体が排出される動作が行われることを特徴とする。
【発明の効果】
【０００８】
本発明の請求項１の再生装置によれば、ディスク挿入口が隠蔽状態からシャッターが開放され、開放されたシャッターをさらに開放方向に移動する一連の動作によりディスクの排出動作を行うことができ、再生装置の操作性を向上することができる。
【発明を実施するための最良の形態】
【０００９】
以下、本発明による再生装置の最良の形態を、情報再生媒体がＣＤやＤＶＤ等のディスクであるカーオーディオ機器の再生装置を例にとって図面を参照して説明する。
【００１０】
図１はカーオーディオ機器のディスク挿入口を露出させ、液晶表示部をシャッター板で隠蔽した状態をフロントパネルの正面側から見た外観斜視図、図２はディスク挿入口をシャッター板で閉止し、液晶表示部を露出した状態をフロントパネルの正面側から見た外観斜視図、図３はシャッター移動機構をフロントパネルの裏面側から見た外観斜視図、図４は同じくシャッター移動機構をフロントパネルの裏面側から正面図、図５はディスク挿入口を露出させた状態のシャッター移動機構の側面図、図６はディスク挿入口をシャッター板で閉止した状態のシャッター移動機構の側面図、図７はシャッター板によるディスクエジェクト動作のシャッター移動機構の側面図である。
【００１１】
カーオーディオ機器のフロントパネルを符号１で示す。フロントパネル１はその表面形状が図５の側面図で示すように凸面円弧状に形成されている。このフロントパネル１の上部にディスク挿入口２が配置され、ディスク挿入口２の下部でフロントパネル１のほぼ中央部分に液晶表示部３が配置されている。また、液晶表示部３の下部でフロントパネル１の下端部分に横一列に複数の操作スイッチ群４が設けられている。尚、フロントパネル１の左右側方の前面部分１ａにも操作スイッチ５が設けられている。
【００１２】
さて、フロントパネル１の前面には、上述したディスク挿入口２と液晶表示部３との間をフロントパネル１の凸面円弧面に沿って移動し開閉操作するためのシャッター板６が取り付けられている。このシャッター板６もフロントパネル１の凸面円弧面に沿うような円弧面形状にされ、シャッター板６が図１に示すようにディスク挿入口２を露出状態にしたとき液晶表示部３が隠蔽されて見えないようにし、図２に示すようにディスク挿入口２が隠蔽されたとき液晶表示部３が露出し見えるようにされる。
【００１３】
ここで、シャッター板６の移動機構の詳細について説明する。
シャッター板６の左右両側端部の裏面にはラック７，７が一体に形成され、両ラック７，７にそれぞれピニオン８，８が噛み合い、両ピニオン８，８はフロントパネル１の裏面に設けた軸受け９，９に支持され、フロントパネル１を横断する軸１０により連動可能にされている。
【００１４】
両ラック７，７の裏面には複数（実施の形態では３つずつ）のガイドピン１１，１１が設けられ、それぞれのガイドピン１１，１１がフロントパネル１の側面に形成した円弧状のガイド溝１２，１２に係合されている。これにより、シャッター板６はガイドピン１１，１１がガイド溝１２，１２に沿って移動すると同時に、ラック７，７の移動によりピニオン８，８が同期して転動することによって、シャッター板６の移動が左右部分でずれることなく並行移動させることができる。
【００１５】
また、シャッター板６の移動はトグルばね１３のばね作用によりスナップ動作が可能にされている。すなわち、トグルばね１３はその一端部１３ａがシャッター板６側に設けた止めピン１４に係止され、他端部１３ｂがフロントパネル１の側面に形成した止め孔１５に係止されている。
【００１６】
上述したトグルばね１３のばね作用を以下に説明する。
図５はシャッター板６が液晶表示部３を隠蔽した状態、つまり、ディスク挿入口２が露出した状態である。この状態ではトグルばね１３のばね作用は、シャッター板６が液晶表示部３を隠蔽する方向に付勢されている。ここで、シャッター板６をディスク挿入口２を隠蔽する方向である矢印ａ方向に移動させると、シャッター板６と共にトグルばね１３の一端部１３ａを係止している止めピン１４が移動し、この止めピン１４が作用点Ｏを越えるとトグルばね１３のばね力が反転しシャッター板６はディスク挿入口２を隠蔽する方向に付勢させることができる。
【００１７】
すなわち、シャッター板６は作用点Ｏを境にしてトグルばね１３のばね作用によりディスク挿入口２を隠蔽する方向と、液晶表示部３を隠蔽する方向とにスナップ作用を効かせて移動できるようになっている。
【００１８】
シャッター板６にはラック７，７の下方側に一体にリブ１６，１６が形成され、一方のリブ１６側（図３において右側のリブ１６）に液晶表示部３の点灯を消灯するスイッチ操作片１７が形成されている。符号１８がこのスイッチ操作片１７により消灯操作されるスイッチであり、このスイッチ１８は回路基板１９に設けられている。
【００１９】
また、シャッター板６にはリブ１６，１６よりさらに下方の先端部に後述するディスクエジェクトスイッチを操作するための操作突部２０が設けられている。
【００２０】
また、シャッター板６のラック７，７と並行するようにフロントパネル１の裏面に例えば、金属材からなる板ばね２１，２１がねじ２２，２２により固定されている。両板ばね２１，２１の基端部２１ａ，２１ａは剛性を有する板材からなり、前述したピニオン８，８の軸１０の軸受け９，９からの抜け出さないように軸受けの一部を構成している。
【００２１】
板ばね２１，２１の先端側は幅が細くされた板ばね片２３，２３に形成されて上述したリブ１６，１６に沿うように延出され、両板ばね片２３，２３の先端部２３ａ，２３ａがシャッター板６のリブ１６，１６の内側面に形成した側片端部２４に接触している。符号２５が操作突部２０によりスイッチ操作し、ディスク挿入口２からディスクをエジェクト動作するためのエジェクトスイッチであり、このエジェクトスイッチ２５は回路基板１９に設けられている。
【００２２】
上述のように構成したカーオーディオ機器は、ディスクを再生するときは、図１に示すようにディスク挿入口２が露出されるようにシャッター板６を液晶表示部６側に移動し、ディスク挿入口２にディスクを挿入することで、オーディオ機器内にディスクがスロットインされ引き込まれる。この後、図２に示すようにディスク挿入口２をシャッター板６で閉じることでディスクの再生が開始される。そして、液晶表示部３には再生中のディスクの曲目やトラックナンバー等の情報が液晶表示される。
【００２３】
つまり、ディスクの再生中ではディスク挿入口３はシャッター板６で隠蔽されて閉じている状態となり、あるいは、ディスクの未再生のときでも、ディスク挿入口３をシャッター板６で隠蔽して閉じておくことにより、ディスク挿入口３内への異物の挿入や塵埃等の侵入を防止することができ、カーオーディオ機器内部が好ましい状態となる。また、ディスク挿入口３が隠蔽されることでカーオーディオ機器の外観の体裁も向上できる。
【００２４】
一方、ディスクの再生中では液晶表示部３に曲目やトラックナンバー等の情報が液晶表示されるが、この液晶表示の明るさは夜間運転中のドライバーにとって眩しく感じられ、運転に支障をきたす。このような夜間の運転中にはシャッター板６を液晶表示部３側に移動して隠すことにより、液晶表示部３の眩しさを回避し運転中の煩わしさから解放することができる。
【００２５】
また、本発明の実施の形態では、シャッター板６を液晶表示部３側に移動することで、シャッター板６の一部に設けたスイッチ操作片１７によりスイッチ１８をスイッチング操作することで液晶表示部３の点灯を消灯することができ、シャッター板６の隙間から漏れる光もなく運転中の煩わしさを全く無くすことができる。この場合、液晶表示部３が消灯された状態でもディスクの再生を中断することなく継続することができる。この時のディスクの再生操作は操作ボタン群４や操作スイッチ５により行うことができる。
【００２６】
次に、本発明の特徴部分であるディスクのエジェクト操作について説明する。
図１及び図５に示すようにシャッター板６からディスク挿入口２が露出され、液晶表示部３が隠蔽された状態では、シャッター板６は電気的にディスクをエジェクトするためのトリガ位置を検出している。例えば、上述したようにシャッター板６が液晶表示部３を隠蔽し、スイッチ１８を操作して液晶表示部３の照明を消灯したときディスクエジェクトのトリガ信号として検出している。
【００２７】
ここで、シャッター板６をディスク挿入口２が露出された図５の状態、つまり、ディスク挿入口２とは反対方向である矢印ｂ方向に所定量クリック移動させることにより、図７に示すようにシャッター板６の側片端部２４が板ばね片２３を撓ませ、シャッター板６の先端部の操作突部２０がエジェクトスイッチ２５を操作し、このエジェクトスイッチ２５の動作によりディスク挿入口２からディスクのエジェクトが行えるというものである。
【００２８】
そして、ディスクのエジェクト完了後は、シャッター板６から手を離すことで板ばね片２３のばね復帰力によりシャッター板６は再び図５に示した位置に戻ることになり、つまり、ディスク挿入口２が開口された状態となり、ディスク挿入口２へディスクを挿入し再生操作を可能にすることができる。
【００２９】
上述したように、ディスク挿入口２が開放された状態からシャッター板６をディスク挿入口２とは反対方向に所定量クリック移動させる一連の動作を行うことで、ディスクのエジェクトが可能となり、操作性を向上することができる。
【００３０】
すなわち、本発明のカーオーディオ機器は、シャッター板６によるディスク挿入口２を開閉する動作と、これとは別に開放したシャッター板６にディスクをエジェクトするための位置を設けたことで、シャッター板６を開放してもディスクをエジェクトすることなく再生を続けることができるという状態を実現することができる。
【００３１】
本発明は、上述しかつ図面に示した実施の形態に限定されるものでなく、その要旨を逸脱しない範囲内で種々の変形実施が可能である。
【００３２】
本発明による再生装置は、実施の形態ではディスク挿入口２の下方に液晶表示部３を配置した例について説明したが、逆にディスク挿入口２の上方に液晶表示部３が配置されたような場合であってもよい。
【００３３】
また、本発明の実施の形態では、再生媒体がＣＤやＤＶＤの場合について説明したが、勿論、ディスク挿入口がＭＤであってもよく、あるいは、カセットテープ等の挿入口を有する再生媒体にも広く適用可能である。
【図面の簡単な説明】
【００３４】
【図１】本発明における再生装置の実施の形態であるカーオーディオ機器で、ディスク挿入口が露出し液晶表示部が隠蔽された状態の外観斜視図である。
【図２】同じくディスク挿入口が隠蔽され液晶表示部が見える状態の外観斜視図である。
【図３】シャッター移動機構をフロントパネルの裏面側から見た外観斜視図である。
【図４】同じくシャッター移動機構をフロントパネルの裏面側から正面図である。
【図５】ディスク挿入口を露出させた状態のシャッター移動機構の側面図である。
【図６】ディスク挿入口をシャッター板で閉止した状態のシャッター移動機構の側面図である。
【図７】ディスクエジェクト動作のシャッター移動機構の側面図である。
【符号の説明】
【００３５】
１…フロントパネル、２…ディスク挿入口、３…液晶表示部、４…操作スイッチ群、６…シャッター板、７…ラック、８…ピニオン、１０…軸、１３…トグルばね、１４…止めピン、１７…スイッチ操作片、１８…スイッチ、２０…操作突部、２１…板ばね、２３…板ばね片、２４…シャッター板の側片端部、２５…エジェクトスイッチ
【図１】
2005166144.tif 000003
【図２】
2005166144.tif 000004
【図３】
2005166144.tif 000005
【図４】
2005166144.tif 000006
【図５】
2005166144.tif 000007
【図６】
2005166144.tif 000008
【図７】
2005166144.tif 000009